(57)【要約】【課題】  コネクタ３やフラットケーブルなどを用いることなく、２枚の配線基板のそれぞれの電気回路を必要に応じて接続したり接続遮断したりするという機能を備える電気回路接続構造を提供する。【解決手段】  導体対１００を、２枚の配線基板１０，２０の電気回路に一端部１１ａ，２１ａが接続された各別の線材１１，２１によって構成する。それぞれの線材の他端部１１ｂ，２１ｂを、配線基板１０，２０を分断することによって製作した接続片１５，２５に固定する。２つの接続片１５，２５を対面させて接続片１１，２１同士を接触させる。線材１１，２１の折曲げ箇所に備わっている戻りばね性によりそれらを押し合った状態で線接触させることが望ましい。【選択図】        図１
2008210917.tif 000002
【特許請求の範囲】
【請求項１】
接触することにより電気的接続された導体対が各別の配線基板に形成された回路パターンでなる電気回路に接続されている電気回路接続構造において、
上記導体対を形成しているそれぞれの導体は、各別の配線基板の電気回路に一端部が接続された各別の線材でなり、
一方側の上記配線基板から引き出された一方側の上記線材の他端部が、その線材を折り曲げることによりその配線基板に対して立ち上げられた一方側接続片に固定され、かつ、他方側の上記配線基板から引き出された他方側の上記線材の他端部が、その線材を折り曲げることによりその配線基板に対して立ち上げられて一方側接続片に対面された他方側接続片に固定されていて、互いに対面している一方側及び他方側の２つの上記接続片のそれぞれに他端部が固定されている各別の上記線材同士が、互いに沿う方向に延びてそれらの線材の折曲げ箇所に備わっている戻りばね性により押し合った状態で線接触し、
上記導体対を形成している一方側及び他方側のそれぞれ線材が、一方側及び他方側のそれぞれの配線基板と接続片とに亘って平行に並べて配備されていると共に、上記接続片は、電気回路を有する第１領域とその第１領域に隣接する第２領域とを有してそれらの第１領域と第２領域との相互間に跨がって自動機械を用いて上記線材が配備されている配線基板を、第１及び第２の上記領域の境界部分で分断することによって形成されていることを特徴とする電気回路接続構造。
【請求項２】
接触することにより電気的接続された導体対が各別の配線基板に形成された回路パターンでなる電気回路に接続されている電気回路接続構造において、
上記導体対を形成している少なくとも一方側の導体の一端部が、一方側の配線基板の電気回路に接続された線材でなり、一方側の上記配線基板から引き出された上記線材の他端部が、一方側の上記配線基板の一部を分断することにより形成された接続片に固定されていることを特徴とする電気回路接続構造。
【請求項３】
上記導体対を形成している一方側の導体が上記線材でなり、その相手方である他方側の導体が他方側の配線基板に形成されてその配線基板の電気回路に接続されているパターン電極である請求項２に記載した電気回路接続構造。
【請求項４】
上記導体対を形成しているそれぞれの導体は各別の配線基板の電気回路に一端部が接続された各別の線材でなり、一方側の上記配線基板から引き出された一方側の上記線材の他端部が、一方側の上記配線基板の一部を分断して当該線材を折り曲げることによりその配線基板に対して立ち上げられた一方側接続片に固定され、かつ、他方側の上記配線基板から引き出された他方側の上記線材の他端部が、他方側の上記配線基板の一部を分断して当該線材を折り曲げることによりその配線基板に対して立ち上げられて一方側接続片に対面された他方側接続片に固定されている請求項２に記載した電気回路接続構造。
【請求項５】
互いに対面している一方側及び他方側の２つの接続片のそれぞれに他端部が固定されている各別の上記線材同士が、それらの線材の折曲げ箇所に備わっている戻りばね性により押し合った状態で接触している請求項４に記載した電気回路接続構造。
【請求項６】
上記導体対を形成している一方側及び他方側のそれぞれ線材が、一方側及び他方側のそれぞれの配線基板と接続片とに亘って平行に並べて配備されている請求項４ないし請求項７のいずれか１項に記載した電気回路接続構造。
【請求項７】
上記配線基板と上記接続片とは、電気回路を有する第１領域とその第１領域に隣接する第２領域とを有してそれらの第１領域と第２領域との相互間に跨がって自動機械を用いて上記線材が配備されている配線基板を、第１及び第２の上記領域の境界部分で分断することによって形成されている請求項２ないし請求項６のいずれか１項に記載した電気回路接続構造。
【発明の詳細な説明】
【技術分野】
【０００１】
本発明は、電気回路接続構造、特に、２枚の配線基板に形成されている回路パターンでなる電気回路同士を接続することに用いられる電気回路接続構造に関する。
【背景技術】
【０００２】
ＤＶＤ装置やテレビジョン受像機などの様々な電気機器には、電源基板やオーディオ／ビデオ基板といった複数の基板が電気的接続して用いられている。図７にフラットケーブル又はＦＰＣ（フレキシブル配線基板）と接続素子としてのコネクタとを用いた従来の汎用されている電気回路接続構造を例示してある。同図において、１，２は各別の配線基板であって、それらには回路パターンでなる電気回路が形成されている。そして、一方側の配線基板１に差込み式のコネクタ３が搭載され、そのコネクタ３に、他方側の配線基板１の電気回路に接続されたフラットケーブル又はＦＰＣでなる中継線４の先端電極部５が差込み接続されていて、中継線４の先端電極部５はコネクタ３に対して抜き差し可能である。この接続構造によると、一方側及び他方側の配線基板１の電気回路同士が、コネクタ３と中継線４とによって互いに電気的接続されている。
【０００３】
一方、従来より、２枚の配線基板のそれぞれに備わっている電気回路同士を導体でなる線材によって電気的接続することが行われている（たとえば、特許文献１、特許文献２、特許文献３参照）。そして、これらの特許文献１〜３には、線材としてメッキ線を用いること、２枚の配線基板は、１枚の割り基板を分断することによって形成することができること、線材を割り基板に自動機械を用いて配備した後に、その割り基板を分断することによって、その線材によって連結された２枚の配線基板を得ること、線材を平行に並べて複数の電路を形成すること、などが開示されている。
【特許文献１】特開平８−３３０７２７号公報
【特許文献２】特開２００４−３１１９０８号公報
【特許文献３】特開２００２−８４０４７号公報
【発明の開示】
【発明が解決しようとする課題】
【０００４】
しかしながら、図７に示した従来の電気回路接続構造では、２枚の配線基板１，２の電気回路同士を接続するのにコネクタ３と中継線４とが必要であり、それらのコネクタ３や中継線４は、配線基板１，２とは別の種類に属する電気部品であるために、それらの調達が面倒であることに加えて部品コストも余分にかかって全体コストが高くつく。また、コネクタ３を配線基板１に実装する作業にも手間がかかる。
【０００５】
これに対し、上掲の特許文献１〜３によって提案されているものは、２枚の配線基板の暖気回路同士を導体としての線材によって前期的接続してあり、その線材にメッキ線などの消耗品を用いることができるために、電気回路同士を接続するために余分に部品を用いる必要がなくなるという利点があるということが云える。しかしながら、これらの特許文献１〜３によって提案されているものは、２枚の配線基板１，２のそれぞれの電気回路に線材の一端部と他端部とを半田付けして電気的接続したものであるので、図７を参照して説明したコネクタ３とそのコネクタ３に抜き差し可能な中継線４とに見られるように、２枚の配線基板１，２のそれぞれの電気回路を必要に応じて接続したり接続遮断したりするという機能を有していない。
【０００６】
本発明は以上の状況の下でなされたものであり、図７を参照して説明したコネクタ３や中継線４を用いることなく、２枚の配線基板のそれぞれの電気回路を必要に応じて接続したり接続遮断したりするという機能を発揮させることができるものでありながら、メッキ線などの導体としての線材を用いて２枚の配線基板のそれぞれの電気回路を接続した電気回路接続構造を提供することを目的とする。言い換えると、本発明は、図７に示したコネクタ３を用いずに、そのコネクタ３におけると同様の電気回路の接続機能や接続遮断機能を発揮させることのできる電気回路接続構造を提供することを目的とする。
【課題を解決するための手段】
【０００７】
本発明に係る電気回路接続構造では、接触することにより電気的接続された導体対が各別の配線基板に形成された回路パターンでなる電気回路に接続されている。そして、上記導体対を形成している少なくとも一方側の導体の一端部が、一方側の配線基板の電気回路に接続された線材でなり、一方側の上記配線基板から引き出された上記線材の他端部が、一方側の上記配線基板の一部を分断することにより形成された接続片に固定されている。
【０００８】
この構成であると、一方側及び他方側のそれぞれの配線基板に形成されている電気回路同士が、一方側の配線基板の電気回路に接続された線材でなる一方側の導体と他方側の配線基板の電気回路に接続された他方側の導体とによって電気的に接続され、この接続は、一方側の導体と他方側の導体とを離して両者の接触状態を解除することによって遮断される。また、一方側の上記配線基板から引き出された上記線材の他端部が、一方側の上記配線基板の一部を分断することにより形成された接続片に固定されているという構成を採用していることにより、配線基板の一部を利用して接続片を製作することができるようになり、接続片を別途製作する必要がなくなるという利点がある。
【０００９】
本発明にあっては、上記導体対を形成している一方側の導体が上記線材でなり、その相手方である他方側の導体が他方側の配線基板に形成されてその配線基板の電気回路に接続されているパターン電極であるという構成を採用することができる。これによれば、他方側の配線基板として異なる種類の電気回路を備える配線基板を適宜選択して、選択した配線基板の電気回路を一方側の配線基板の電気回路に接続することが可能になる。
【００１０】
また、上記導体対を形成しているそれぞれの導体は各別の配線基板の電気回路に一端部が接続された各別の線材でなり、一方側の上記配線基板から引き出された一方側の上記線材の他端部が、一方側の上記配線基板の一部を分断して当該線材を折り曲げることによりその配線基板に対して立ち上げられた一方側接続片に固定され、かつ、他方側の上記配線基板から引き出された他方側の上記線材の他端部が、他方側の上記配線基板の一部を分断して当該線材を折り曲げることによりその配線基板に対して立ち上げられて一方側接続片に対面された他方側接続片に固定されている、という構成を採用することも可能である。この構成を採用した場合でも、上記同様に、他方側の配線基板として異なる種類の電気回路を備える配線基板を適宜選択して、選択した配線基板の電気回路を一方側の配線基板の電気回路に接続することが可能になる。
【００１１】
本発明では、互いに対面している一方側及び他方側の２つの接続片のそれぞれに他端部が固定されている各別の上記線材同士が、それらの線材の折曲げ箇所に備わっている戻りばね性により押し合った状態で接触していることが望ましい。これによれば、線材のばね性を利用して線材同士の電気的接続信頼性が向上する。
【００１２】
本発明では、上記導体対を形成している一方側及び他方側のそれぞれ線材が、一方側及び他方側のそれぞれの配線基板と接続片とに亘って平行に並べて配備されている、という構成を採用することが可能であり、これによれば、２枚の配線基板のそれぞれの電気回路同士を多極接続することが可能である。
【００１３】
本発明において、  上記配線基板と上記接続片とは、電気回路を有する第１領域とその第１領域に隣接する第２領域とを有してそれらの第１領域と第２領域との相互間に跨がって自動機械を用いて上記線材が配備されている配線基板を、第１及び第２の上記領域の境界部分で分断することによって形成されていることが望ましい。これによれば、配線基板とその配線基板の一部を分断して形成される接続片とを１枚の割り基板を用いて製作することが可能である。そのため、当該電気回路接続構造の組立工程での作業性が改善されてその量産性が向上する。
【００１４】
本発明に係る電気回路接続構造は、接触することにより電気的接続された導体対が各別の配線基板に形成された回路パターンでなる電気回路に接続されている電気回路接続構造において、上記導体対を形成しているそれぞれの導体は、各別の配線基板の電気回路に一端部が接続された各別の線材でなり、一方側の上記配線基板から引き出された一方側の上記線材の他端部が、その線材を折り曲げることによりその配線基板に対して立ち上げられた一方側接続片に固定され、かつ、他方側の上記配線基板から引き出された他方側の上記線材の他端部が、その線材を折り曲げることによりその配線基板に対して立ち上げられて一方側接続片に対面された他方側接続片に固定されていて、互いに対面している一方側及び他方側の２つの上記接続片のそれぞれに他端部が固定されている各別の上記線材同士が、互いに沿う方向に延びてそれらの線材の折曲げ箇所に備わっている戻りばね性により押し合った状態で線接触し、上記導体対を形成している一方側及び他方側のそれぞれ線材が、一方側及び他方側のそれぞれの配線基板と接続片とに亘って平行に並べて配備されていると共に、上記接続片は、電気回路を有する第１領域とその第１領域に隣接する第２領域とを有してそれらの第１領域と第２領域との相互間に跨がって自動機械を用いて上記線材が配備されている配線基板を、第１及び第２の上記領域の境界部分で分断することによって形成されている、という構成を採用することによっていっそう具体化される。この発明の作用などについては後述する実施形態を参照して詳細に説明する。
【発明の効果】
【００１５】
本発明に係る電気回路接続構造によれば、図７を参照して説明したコネクタ３や中継線４を用いることなく、２枚の配線基板のそれぞれの電気回路を必要に応じて接続したり接続遮断したりするという機能を発揮させることができるものでありながら、メッキ線などの導体としての線材を用いて２枚の配線基板のそれぞれの電気回路を接続した電気回路接続構造を提供することが可能になる。しかも、接続片は割り基板を分断するだけで製作されるために、当該電気回路接続構造の組立作業性が改善されて電源基板やオーティオ／ビデオ基板などの量産性が向上するという効果が奏される。
【発明を実施するための最良の形態】
【００１６】
図１は本発明に係る電気回路接続構造の実施形態を示した概略側面図である。この実施形態では、２枚の各別の配線基板１０，２０に形成されている回路パターンでなる電気回路（不図示）のそれぞれに接続されている導体としての線材１１，２１同士を接触させることによって、２枚の配線基板１０，２０の電気回路同士を電気的接続していて、接触している２本の線材１１，２１によって導体対１００が形成されている。
【００１７】
そして、図示していないけれども、この電気回路接続構造は、複数ないし多数の導体対１００が同一の状態で横に並んだ多極接続構造になっていて、導体対１００を形成している一方側及び他方側のそれぞれ線材１１，２１はそれらが所要ピッチを保って平行に並んでいる。
【００１８】
図１のように、導体対１００を形成しているそれぞれの線材１１，２１は、２枚の配線基板１０，２０の電気回路に一端部１１ａ，２１ａが半田付けによって接続されている。これに対し、一方側の配線基板１０から引き出された一方側の線材１１の他端部１１ｂが、その配線基板１０に対して立ち上げられた起立姿勢の接続片（一方側接続片）１５に半田付けによって固定されている。他方側の配線基板２０から引き出された他方側の線材２１についても同様に、その他端部２１ｂが、その配線基板２０に対して立ち上げられた起立姿勢の接続片（他方側接続片）２５に半田付けによって固定されている。そして、一方側及び他方側の接続片１５，２５同士を対面させると共に、それらの接続片１５，２５に他端部１１ｂ，２１ｂが固定されている２本の線材１１，２１同士を互いに沿わせて線接触させている。
【００１９】
一方側の配線基板１０に対して一方側接続片１５を起立姿勢に立ち上げる手段には、線材１１を１箇所で折り曲げるという手段が採用されている。他方側の配線基板２０に対して他方側接続片２５を起立姿勢に立ち上げる手段にも同様に線材２１を１箇所で折り曲げるという手段が採用されている。また、一方側接続片１５は、配線基板１０の一部を分断することによって形成されている。他方側接続片２５も同様に配線基板２０の一部を分断することによって形成されている。
【００２０】
この構成を備える電気回路接続構造によると、一方側及び他方側の線材１１，２１でなる導体対１００によって２枚の配線基板１０，２０の電気回路同士が電気的接続されている。そして、導体対１００は、図７に示したコネクタ３や中継線４に比べて格段に安価で、かつ、消耗品として使用されているメッキ線やジャンパー線などの線材１１，２１によって構成することが可能であるので、そのような線材１１，２１によって導体対１００を形成しておくことにより、当該電気回路接続構造を図７で説明したそれに比べて安価に構成することが可能である。また、一方側及び他方側の配線基板１０，２０に対して一方側及び他方側の接続片１５，２５を起立姿勢に立ち上げる手段として、線材１１，２１を１箇所で折り曲げるという手段を採用しているので、それらの線材１１，２１の折曲げ角度を調節しておくと、一方側及び他方側の接続片１５，２５を対面させてそれらの接続片１５，２５同士を互いに沿わせて線接触させるときに、線材１５，２５同士がそれらの折曲げ箇所に備わっている矢印Ｆ１，Ｆ２で示した戻りばね性により押し合った状態で線接触するようにも構成することが可能であり、そのようにしておくと、線材１５，２５同士の電気的接続信頼性が向上することになる。なお、図１において、符号Ｓは一方側及び他方側の線材１１，２１同士の重なり面を示している。
【００２１】
図２は本発明に係る電気回路接続構造の他の実施形態を示した概略側面図である。この実施形態は、２枚の各別の配線基板１０，３０のうちの一方側の配線基板１０に形成されている回路パターンでなる電気回路（不図示）に導体としての線材１１が電気的接続されていて、その線材１１が、他方側の配線基板３０に電気回路と共に形成されているパターン電極（不図示）に重ね合わされて電気的接続されている。すなわち、この実施形態は、図１に示した実施形態の他方側の配線基板２０や接続片２５及びそれらを連結している線材２１を省略し、その代わりに、パターン電極を有する配線基板３０を用いてそのパターン電極を一方側接続片１５の線材１１に重ね合わせて電気的接続したものに相当している。そして、この実施形態では、導体対が、線材１１とその相手方である他方側の配線基板３０に形成されたパターン電極とによって形成されている。また、この実施形態では、一方側接続片１５を配線基板３０に対面させてそれらを線材１１とパターン電極とを重なり状に電気的接続するときに、線材１５の折曲げ箇所に備わっている矢印Ｆ１で示した戻りばね性により両者が押し合った状態で線接触するようにも構成することが可能であり、そのようにしておくと、線材１５とパターン電極との電気的接続信頼性が向上することになる。なお、図２において、符号Ｓは線材１１とパターン電極との重なり面を示している。
【００２２】
次に、図３〜図６を参照して接続片１５の製作手順などを説明する。図３は配線基板１０の要部を示した正面図、図４は図３のＩＶ−ＩＶ線に沿う部分の断面図、図５は及び図６は接続片１５を立ち上げる工程の説明図である。
【００２３】
図３によって類推することができるように、配線基板１０は、その端部の近傍箇所に一定の短ピッチを保って形成された抜き孔１２の列を備えていて、この抜き孔１２の列の形成箇所で割って分断することができるようになっている。そして、この配線基板１０は、抜き孔１２の列を境にして、電気回路（不図示）を有する第１領域Ｚ１とその第１領域に隣接して位置して電気回路を有していない第２領域Ｚ２とに２区画されている。また、それらの第１領域Ｚ１と第２領域Ｚ２との相互間に跨がって、自動機械を用いて、線材１１、が等ピッチで横に並んだ複数箇所に配備されている。ここで用いられる自動機械は、汎用的な配線基板の回路接続工程でメッキ線やジャンパー線をその配線基板に打ち込むことに用いられる自動機械であり、また、線材１１には消耗品としての上記メッキ線やジャンパー線が用いられている。
【００２４】
図４のように、配線基板１０の複数箇所に配備された線材１１は、その一端部１１ａが第１領域Ｚ１で電気回路の端子接続ランドに半田付けされる一方で、その他端部１１ｂが第２領域Ｚ２で半田ランドに半田付けされる。図４には符号Ｈ１，Ｈ２で半田を示している。
【００２５】
配線基板１０は次に図５のように抜き孔１２の列の形成箇所を境として作業者により折り曲げられて分断される。こうして配線基板１０を分断すると、第１領域Ｚ１を備える配線基板１０に線材１１を介して連結された第２領域Ｚ２を有する接続片１５が製作される。このときの配線基板１０の折曲げ方向は、線材１１が外側になる方向に定める。
【００２６】
次に、図６のように、線材１１の中間部を矢印Ｒ方向に折り曲げて接続片１５を配線基板１０に対して起立姿勢に立ち上げ、その線材１１を接続片１５の外側に位置させる。このときの線材１１の折曲げ角度θは、９０度よりも小さい角度にしておくことが望ましく、そのようにしておくと、図１や図２を参照して説明したように、その線材１１の戻りばね性を利用することが可能である。
【００２７】
以上の手順で製作された配線基板１０を用いて図１の電気回路接続構造を構成する場合には、上記同様の手順を経て、他方側の配線基板２０に線材２１を介して接続片２５が連結されたものを製作し、双方の接続片１５，２５を対面させてそれらの接続片１１１，２１同士を接触させる。また、図２の電気回路接続構造を構成する場合には、接続片１５を配線基板３０に対面させて線材１１を配線基板３０のパターン電極に接触させる。
【００２８】
本発明の実施形態である図１の事例では、２枚の配線基板１０，２０をシャーシ（不図示）などにビス止めなどの適宜手段で固定して位置決めしておくことが望ましい。また、図１に示したように、クリップ５０などの固定具を用いて２枚の接続片１５，２５を動かないように固定しておいてもよい。図２の実施形態においても、接続片１５と配線基板３０とを適宜の固定手段を用いて動かないように固定しておくことが望ましい。
【図面の簡単な説明】
【００２９】
【図１】本発明に係る電気回路接続構造の実施形態を示した概略側面図である。
【図２】本発明に係る電気回路接続構造の他の実施形態を示した概略側面図である。
【図３】配線基板の要部を示した正面図である。
【図４】図３のＩＶ−ＩＶ線に沿う部分の断面図である。
【図５】配線基板を分断して切続片を製作したときの説明図である。
【図６】接続片を立ち上げる工程の説明図である。
【図７】従来の汎用されている電気回路接続構造の説明図である。
【符号の説明】
【００３０】
１０，２０，３０  配線基板
１１，２１  線材
１１ａ，２１ａ  線材の一端部
１１ｂ，２１ｂ  線材の他端部
１５，２５  接続片
１００  導体対
Ｚ１  第１領域
Ｚ２  第２領域
【図１】
2008210917.tif 000003
【図２】
2008210917.tif 000004
【図３】
2008210917.tif 000005
【図４】
2008210917.tif 000006
【図５】
2008210917.tif 000007
【図６】
2008210917.tif 000008
【図７】
2008210917.tif 000009